(57)【要約】【課題】  ディジタル放送により供給される数多くの番組の中から利用者が所望の番組を容易に選択しその内容を享受することができる番組情報記録装置及び番組情報記録再生装置を提供する。【解決手段】  ディジタル放送により、その楽曲のジャンルを示すジャンルコードとともに供給される楽曲情報をチューナ１により受信する一方、記録すべき楽曲のジャンルを操作部８により予め入力しておき、受信される楽曲情報の中から、操作部８により予め入力したジャンルと一致するジャンルコードが付加された楽曲情報のみを選択し、ハードディスク装置２に記録するよう構成した。【選択図】      図１
2004227765.tif 000002
【特許請求の範囲】
【請求項１】
ディジタル放送から番組情報を受信する受信手段と、
記録すべき番組のもつ属性として指定された属性を属性指定情報として記憶する記録属性記憶手段と、
記憶手段と、
前記ディジタル放送から提供される番組情報のうち前記記録属性記憶手段に記憶された属性指定情報と一致する属性を有する番組情報を、前記受信手段を介して取得し、当該属性に対応付けて前記記憶手段に記録する記録手段と
を具備することを特徴とする番組情報記録装置。
【請求項２】
ランダムアクセス可能な一時記憶手段をさらに具備し、
前記記憶手段は、ハードディスク装置であり、
前記記録手段は、前記受信手段を介して取得した番組情報を前記一時記憶手段に書き込み、前記一時記憶手段に記憶された番組情報を前記記憶手段に転送することを特徴とする請求項１記載の番組情報記録装置。
【請求項３】
指定された属性の重要度に関する情報を記憶する重要度記憶手段と、
前記記憶手段の記憶領域の残量が所定量以下になると、前記重要度記憶手段に記憶された属性の重要度に関する情報と前記記憶手段に記憶された番組情報の属性に基づき、前記記憶手段に記憶された番組情報のうち重要度の低い番組情報を選択し、該選択した番組情報を削除する記憶管理手段と
を具備することを特徴とする請求項１または２に記載の番組情報記録装置。
【請求項４】
請求項１〜３のいずれか１の請求項に記載の番組情報記録装置と、
前記番組情報記録装置における前記記憶手段に記憶された番組情報を再生する再生手段と
を具備することを特徴とする番組情報記録再生装置。
【発明の詳細な説明】
【技術分野】
【０００１】
この発明は、ディジタル放送により送信される番組情報の記録／再生に用いて好適な番組情報記録装置および番組情報記録再生装置に関する。
【背景技術】
【０００２】
近年の圧縮符号化技術の進歩等を背景として、ディジタル衛星放送により供給される番組の多チャンネル化が実現可能となり、各種サービスの実施化が進められている。こうした放送の多チャンネル化により、様々なジャンルに特化した番組を数多く提供することが可能となり、利用者にとっては番組の選択肢が広がり、バラエティに富んだ情報を享受できるという利点がある。なお、ディジタル衛星放送については例えば特許文献１に開示されている。
【０００３】
【特許文献１】特開平８−１２５９４１号公報
【発明の開示】
【発明が解決しようとする課題】
【０００４】
しかしながら、放送の多チャンネル化が一方において情報の氾濫による弊害をもたらすことは否めない。すなわち、利用者は、数十、数百等の多くのチャンネルを通じて供給される番組の中から自分の嗜好に合った番組または真に必要な情報を選択する必要があり、そのための負担が大きくなるという問題がある。
この発明は、このような背景の下になされたもので、ディジタル放送により供給される数多くの番組の中から利用者が所望の番組を容易に選択しその内容を享受することができる番組情報記録装置及び番組情報記録再生装置を提供することを目的としている。
【課題を解決するための手段】
【０００５】
上述した課題を解決するために、この発明は、ディジタル放送から番組情報を受信する受信手段と、記録すべき番組のもつ属性として指定された属性を属性指定情報として記憶する記録属性記憶手段と、記憶手段と、前記ディジタル放送から提供される番組情報のうち前記記録属性記憶手段に記憶された属性指定情報と一致する属性を有する番組情報を、前記受信手段を介して取得し、当該属性に対応付けて前記記憶手段に記録する記録手段とを具備することを特徴とする番組情報記録装置を提供する。
好ましい態様において、前記番組情報記録装置は、ランダムアクセス可能な一時記憶手段をさらに具備し、前記記憶手段は、ハードディスク装置であり、前記記録手段は、前記受信手段を介して取得した番組情報を前記一時記憶手段に書き込み、前記一時記憶手段に記憶された番組情報を前記記憶手段に転送する。
また、他の好ましい態様において、前記番組情報記録装置は、指定された属性の重要度に関する情報を記憶する重要度記憶手段と、前記記憶手段の記憶領域の残量が所定量以下になると、前記重要度記憶手段に記憶された属性の重要度に関する情報と前記記憶手段に記憶された番組情報の属性に基づき、前記記憶手段に記憶された番組情報のうち重要度の低い番組情報を選択し、該選択した番組情報を削除する記憶管理手段とをさらに具備する。
また、この発明は、前記番組情報記録装置と、前記番組情報記録装置における前記記憶手段に記憶された番組情報を再生する再生手段とを具備することを特徴とする番組情報記録再生装置を提供する。
【発明の効果】
【０００６】
この発明によれば、ディジタル放送により供給される数多くの番組の中から利用者が所望の番組を容易に選択しその内容を享受することができる。
【発明を実施するための最良の形態】
【０００７】
以下、図面を参照して、この発明の実施形態について説明する。
Ａ：実施形態の構成
図１はこの発明の一実施形態の構成を示すブロック図である。この実施形態は、本発明をディジタル衛星放送により供給される番組を記録および再生する記録再生装置として構成したものである。図１において、１はチューナであり、通信衛星を介し放送される番組情報を取り込む。ここで、番組情報とは、衛星放送の各チャンネルより提供される番組の内容を構成する情報であって、ディジタルの映像信号およびオーディオ信号を圧縮符号化したものである。本実施形態では、一例として特定のチャンネル（周波数）で供給されるＢＧＭ（バックグラウンドミュージック）放送番組の中から所望の楽曲情報を選択して記録再生する場合を取り扱う。ここで、楽曲情報とは、曲の演奏または歌唱をディジタル録音して得られるディジタルオーディオ信号を圧縮符号化した情報であって、各楽曲情報の先頭には、ロック、ジャズ、ポップス、演歌等、その楽曲が属するジャンルを示すジャンルコードが付加されている。
【０００８】
次に、２はハードディスク装置であり、チューナ１より受信した楽曲情報をそのジャンルコードとともに記憶する。すなわち、このハードディスク装置２において、楽曲情報は、ジャンルをキーとして検索できるようそのジャンルコードと対応づけて記憶されている。
【０００９】
３はＣＰＵ（中央処理装置）であり、バスＢＵＳを介し接続される装置各部を制御する。このＣＰＵ３は、ＲＯＭ（読み出し専用メモリ）４に記憶された所定の制御プログラムを実行することにより後述する動作を実現する。５はＲＡＭ（読み書き可能なメモリ）であり、ＣＰＵ３が制御プログラムを実行するときのワークエリアとして用いられる。このＲＡＭ５は、チューナ５より取り込まれる受信データを一時記憶する受信用バッファとしても用いられる。６は計時動作を行うタイマであり、計時した時刻の情報（以下、時刻情報という）をＣＰＵ３へ随時供給する。
【００１０】
また、７はサウンドシステムであり、供給されるディジタルオーディオ信号をＤ／Ａ（ディジタル／アナログ）変換して得られるアナログオーディオ信号に対応した楽音をスピーカより発生させる。ＣＰＵ３は、ハードディスク記憶２から楽曲情報を読み出しこれを伸長処理して得られるディジタルオーディオ信号をサウンドシステム７へ供給する。これにより、楽曲が再生される。
【００１１】
さらに、８は操作部であり、操作者が種々の指示操作又は入力操作を行うための各種操作子からなっている。図２は操作部の構成の一例を示す平面図である。同図において、６０は電源のオン／オフを指示するための電源ボタン、６１および６２はチャンネル選択や後述する自動選択記録又は自動選択再生のプログラム入力を行うためのテンキーおよびマイナスキー、６３は上記プログラム入力の際に入力コードの確定を指示するための確定キー、６４は記録の開始／終了をマニュアルで指示するための記録キー、６５は再生の開始／終了をマニュアルで指示するための再生キー、６６および６７はチューナ１の受信チャンネルを順方向および逆方向にスキャンさせるための矢印キー、６８は操作者が入力した入力値や入力の案内をする各種メッセージを表示する液晶パネルである。操作部８は、上述した各操作子に対する操作に対応した信号を発生する。
【００１２】
Ｂ：実施形態の動作
次に、上記構成からなる記録再生装置の動作を、（１）記録再生の準備、（２）記録動作、（３）再生動作および（４）データ削除に分けて説明する。
【００１３】
（１）記録再生の準備
まず、操作者は、記録したい楽曲のジャンルと記録期間を予め操作部８よりプログラム入力しておく。例えば、放送により提供されているすべてのＢＧＭ放送番組の中からロックとジャズの楽曲のみを記録したい場合、ロックを示すジャンルコードとジャズを示すジャンルコードを入力するとともに、記録の開始日時と終了日時を示す記録期間を入力する。
【００１４】
ここで、ロックを示すジャンルコードが「１０１」であり、ジャズを示すジャンルコードが「１０２」であるとすると、操作者は、テンキー６１によって「１０１」を入力した後、確定キーを押圧し、さらにテンキー６１によって「１０２」を入力した後、確定キーを押圧する。そして、すべてのジャンルコードの入力が終了したことを認識させるためもう一度確定キーを押圧する。ＣＰＵ３は、操作部８から供給される信号によって上記操作を検出し、入力情報をＲＡＭ５に記憶させる。これによって、記録すべき楽曲情報のジャンルがセットされる。
【００１５】
次いで、記録期間を、例えば１９９７年１月２５日午前１０時３０分から同年１月３０日午後６時までとすると、操作者は、テンキー６１およびマイナスキー６２によって「１９９７０１２５１０３０−１９９７０１３０１８００」を入力した後、確定キーを押圧する。ＣＰＵ３は、操作部８から供給される信号によって上記操作を検出し、入力情報をＲＡＭ５に記憶させる。これによって、記録期間がセットされる。いわゆるタイマ収録機能のセットである。こうして、自動選択記録のための準備が完了する。
【００１６】
一方、自動選択再生の準備として、操作者は、ＢＧＭ再生したい楽曲のジャンルと再生期間を予め操作部８よりプログラム入力しておく。例えば、記録済のＢＧＭ放送番組の中からジャズの楽曲のみを再生したい場合、上述した記録の場合と同様に操作して、ジャズと示すジャンルコードを入力するとともに、再生の開始日時と終了日時を示す再生期間を指定する。ＣＰＵ３は、操作部８から供給される信号によって上記操作を検出し、入力情報をＲＡＭ５に記憶させる。これによって、再生すべき楽曲のジャンルと再生期間がセットされる。こうして、自動選択再生のための準備が完了する。
【００１７】
（２）記録動作
次に、上記プログラム入力に基づく自動選択記録について説明する。ＣＰＵ３は、タイマ６によって示される時刻がプログラム入力された記録開始時刻になると、記録動作を開始する。まず、ＣＰＵ３はチューナ１に制御信号を送り、ＢＧＭ放送番組が提供されているチャンネルに同調させる。そして、当該チャンネルより受信されるディジタルデータの中からジャンルコードを検出し、これがプログラム入力されたロックまたはジャズのジャンルコードと一致するか否かを判断する。
【００１８】
受信されたジャンルコードがロックまたはジャズのジャンルコードでない場合には、それに続く楽曲情報を無視する。一方、受信されたジャンルコードがロックまたはジャズのジャンルコードである場合には、それに続く楽曲情報をＲＡＭ５に一旦取り込み、次いでハードディスク装置２へ転送し、そのジャンルコードと対応づけて記録する。また、このときタイマ６によって示される時刻を記録時の時刻として該楽曲情報と対応づけて記録する。
【００１９】
こうして、送信されるジャンルコードを判別し、ロックまたはジャズの楽曲情報のみをそのジャンルコードおよび記録時刻とともにハードディスク装置２に記録していく。そして、タイマ６によって示される時刻がプログラム入力された記録終了時刻になると、それまでの記録動作を終了させる。
【００２０】
（３）再生動作
次に、前述のプログラム入力に基づく自動選択再生について説明する。ＣＰＵ３は、タイマ６によって示される時刻がプログラム入力された再生開始時刻になると、再生動作を開始する。まず、ＣＰＵ３は、ハードディスク装置２からプログラム入力されたジャズのジャンルコードをキーとして、ジャズの楽曲情報をサーチする。そして、サーチされた楽曲を例えば記録した時刻の古い順に再生する。すなわち、ハードディスク装置２から楽曲情報を順次読み出し、これを伸長処理した後、ディジタルオーディオ信号としてサウンドシステム７に供給する。これにより、サウンドシステム７では、ジャズの楽曲のみがＢＧＭ再生される。そして、タイマ６によって示される時刻がプログラム入力された再生終了時刻になると、それまでの再生動作を終了させる。このように、本実施形態によれば、所望のジャンルの楽曲のみから構成されるＢＧＭ再生を実現することができる。
【００２１】
（４）データ削除
次に、ハードディスク装置２の記憶領域が一杯になった場合のデータ削除処理について説明する。ＣＰＵ３は、ハードディスク装置２の記憶領域が一杯になると（すなわち、記憶容量の残量が所定量以下になると）、新たに受信される楽曲情報を記録するための領域を確保すべく、例えば記録した時刻の古いものから順に楽曲情報を削除していく。これによって、ハードディスク装置２の記憶容量に制限されることなく、新たに受信した楽曲情報を記録することができる。
【００２２】
Ｃ：変形例
本発明は、上述した実施形態に限定されず、以下のような種々の変形が可能である。
（１）例えば、実施形態では、一例として特定のチャンネル（周波数）で供給されるＢＧＭ放送番組の中から所望の楽曲情報を選択する場合を取り扱ったが、本発明は、このような態様に限らず、異なるチャンネルで供給される番組情報の中から所望の番組情報を選択する場合にも適用可能である。この場合、ＣＰＵ３は、各チャンネルを走査し、選択したチャンネルにチューナ１を自動チューニングさせればよい。
【００２３】
また、チューナを複数設けることにより、重複した時間帯に放送される複数チャンネルの番組を同時に記憶可能な構成にすることができる。この場合、各チューナから取り込まれる複数番組の受信データを一旦ＲＡＭ５に格納し、これら受信データをハードディスク装置２に転送し、記録すればよい。ただし、１つの周波数において複数チャンネルの番組情報が時分割に重畳されて供給される場合には、一つのチューナでも重複した時間帯に放送される番組情報を受信可能である。また、この場合、自動チューニングを行わなくても、受信のタイミングを選択した番組のタイムスロットに合わせることにより、複数の番組が重畳されたディジタルストリームの中から目的の番組を選択的に受信することができる。
【００２４】
（２）また、実施形態では、放送により供給される情報をディジタルオーディオ信号を圧縮符号化した楽曲情報としたが、本発明は、これに限定されず、例えば映像情報でも、あるいは映像情報とオーディオ情報の両方でもよく、また、実施形態のように圧縮符号化された情報に限定されるものでもない。さらに、オーディオ情報や映像情報に限らず、文字情報等のデータであってもよい。
【００２５】
（３）また、実施形態ではディジタル衛星放送としたが、本発明は、これに限らず、地上波放送やＣＡＴＶ等の有線放送にも適用可能である。
【００２６】
（４）また、実施形態では、属性情報としてジャンルコードのみ付加したが、例えば歌手名、アーティスト名、作曲者名等その他の属性情報を付加して複数の属性情報をもたせるようにしてもよい。こうすることにより、ジャンルのみならず、歌手、アーティスト等様々な観点から楽曲情報を選択することが可能になる。また、各楽曲情報にユニークな楽曲コード（いわゆる番組識別情報）や各番組情報にユニークな番組コード（いわゆる番組識別情報）を付加するようにしてもよい。この場合、ジャンルコード等の属性情報を、実施形態のように各楽曲情報の先頭に付加するのではなく、予め楽曲コードや番組コードと属性情報とを関連づけた情報をまとめて送るようにしてもよい。また、予め属性情報をまとめて送る場合、番組の放送開始時刻と関連づけるようにしてもよい。
【００２７】
（５）また、実施形態では、記録と再生の両方を行う一体の記録再生装置として構成したが、本発明は、このような形態に限らず、記録部分と再生部分とを分離して、受信データの記録を行う記録装置と当該記録装置からデータを読み出して再生を行う再生装置とを別体で構成し、両者を接続して使用するようにしてもよい。また、操作部８をリモートコントローラ（いわゆるリモコン）とし、本体側にコマンド受信用のインタフェースを設けた構成にしてもよい。
【００２８】
（６）また、実施形態では、記憶手段として、ハードディスク装置２を採用したが、本発明は、これに限らず、ランダムアクセス可能な記憶手段であれば、光磁気ディスク装置や書き換え可能なＤＶＤ（ディジタルビデオディスク）等その他の記憶手段としてもよい。
【００２９】
（７）また、記録期間や再生期間については、実施形態のようにその都度プログラム入力するのではなく、例えば２４時間、１週間等のデフォルト値を予め設定しておくようにしてもよい。こうすることにより入力負担が軽減される。また、記録キー６４または再生キー６５を操作して、記録または再生の開始と終了をマニュアルで指示するようにしてもよい。
【００３０】
（８）また、実施形態では、受信データをすべてディジタル情報のまま取り込み、記録しているが、本発明は、このような態様に限らず、例えば受信データのうち映像や音楽等の番組の内容についてはディジタル情報のまま取り込むのではなく、一旦Ｄ／Ａ変換して（圧縮されている場合には伸長処理した後にＤ／Ａ変換して）、アナログ信号に変換した上で記録するようにしてもよい。
【００３１】
（９）また、実施形態では、自動選択記録または自動選択再生のプログラム入力を、当該記録再生装置の操作者が行うようにしたが、本発明は、このような態様に限らず、プログラムした情報そのものを記録再生装置に送信するようにしてもよい。こうすることにより、様々なジャンルの番組を放送する一方で、各記録再生装置が設置される店舗等に特化したジャンルを選択させることにより、ある店はロック系のＢＧＭを提供し、また、ある店はジャズ系のＢＧＭを提供する、というように特色をもたせることができる。
【００３２】
（１０）また、実施形態の記録再生装置に課金システムを適用することも可能である。この場合、一曲を記録する毎に課金するものとすれば、受信した楽曲情報を記録する際に曲数をカウントし、その曲数と単価を乗算することによって料金を算出すればよい。ここで、曲によって単価が異なる場合には、楽曲情報に対応づけて単価情報をも送信し、該単価情報によって示される単価を記録の際に累算することによって料金を算出すればよい。
【００３３】
一方、課金を記録時ではなく再生時に行う場合には、楽曲情報を再生する際に曲数をカウントし、その曲数と単価を乗算することによって料金を算出すればよい。また、曲によって単価が異なる場合には、楽曲情報とともに送信される単価情報を該楽曲情報と対応づけて記録しておき、再生の際にその楽曲情報に対応する単価情報によって示される単価を累算することによって料金を算出すればよい。
【００３４】
（１１）また、実施形態では、時刻情報を利用して記録した時刻が古い楽曲情報を優先的に削除するようにしたが、本発明は、このような態様に限らず、例えば優先順位の低いジャンルの楽曲情報を優先的に削除するようにしてもよい。この場合、優先的に削除するジャンルのジャンルコードをプログラム入力し、その入力情報をハードディスク装置２の所定領域に記録しておき、ＣＰＵ３は、データ削除の際にこれを参照すればよい。
【００３５】
（１２）また、実施形態において、古い情報を優先的に削除するなど時刻を利用した処理を行うために、必ずしも時刻情報そのものを記録しておく必要はなく、時刻の順序関係を定義できる情報であれば、その他の情報を記録しておくようにしてもよい。例えば、記録した順序を示すシーケンス番号であってもよい。
【図面の簡単な説明】
【００３６】
【図１】この発明の一実施形態による記録再生装置の構成を示すブロック図である。
【図２】同装置の操作部の構成例を示す平面図である。
【符号の説明】
【００３７】
１…チューナ（受信手段）、２…ハードディスク装置（記憶手段、重要度記憶手段）、３…ＣＰＵ（記録手段、再生手段）、４…ＲＯＭ、５…ＲＡＭ（記録属性記憶手段、再生属性記憶手段、記憶手段）、６…タイマ、７…サウンドシステム（再生手段）、８…操作部、ＢＵＳ…バス。
【図１】
2004227765.tif 000003
【図２】
2004227765.tif 000004